(57)【要約】【課題】日常生活をしながらしかも運動をしていると感じずにいつの間にか筋肉の鍛錬が出来、しかもしなやかで、柔らかい筋肉を作る事が出来るものを提供するのが課題。【解決手段】角度が常に１０度〜１８０度位に屈曲した状態を保てる様に熱処理記憶させた、プラスチック材他等で被膜した状態の形状記憶合金、又はバネ材を袋体▲３▼に納め、サポーター本体と接合縫い付けマジックテープ付きベルトで固定し、足の膝及び腕の肘の屈曲により形状記憶合金の復元力作用に反抗する力を作用させて筋肉を鍛錬する装備を提供した。【選択図】  図１
2004263355.tif 000002
【特許請求の範囲】
【請求項１】
膝及び肘関節を前面から覆い包むサポーター本体とは別体として作られたＩ形をした生地として成り立っているベルト状の留め具全体においてサポーター本体の側面上部にＩ形形状ベルト生地の上部の部分のみを接合縫い付けＩ形形状生地の一部所である下部の上面と上部の上面にマジックテープ材質を接合縫い付けて取り付ける事を特徴としている膝用及び肘用鍛錬サポーター。
【請求項２】
中が空洞になっている筒形状袋体をサポーター本体とは別体として作り、その中間点の部所に穴口を設け、中に入れるものの出し入れが、挿入可能、取り出し可能とした上で、筒形状袋体をサポーター本体に側面視で少し山形曲線を描くように、サポーター本体に面する筒形状袋体の底面部分を接合し、しっかりと縫い付ける構成を持つ膝用及び肘用鍛錬サポーター。
【請求項３】
筒形状袋体の中には別体として単独で取り外し、及び挿入可能なプラスチック材質又は繊維材質、又はゴム製品、又はその他特殊化学製品、又は特殊金属で皮膜された形状記憶合金を中に挿入し、その形状記憶合金は常に側面視角度１０度〜１８０度位の形状を保つ事が出来るように熱処理により記憶させられたものを使用するのを特徴とする膝用及び肘用鍛錬サポーター。
【請求項４】
サポーター本体に接合し、縫い付け取り付けられた∧の字形筒形状袋体の下部の近く、又は下部の上面部分に引っ掛け留め金具をつけ、∧の字形状の左右下部同士を橋で渡すラインの要領で両端に釣り針状の引っ掛け金具を付けたゴム状の帯ベルトを単独で作り、ラインを渡すようにそれを取り付け、両側を橋渡しで繋ぐ事により、∧の字形筒形状袋体の強度を補強する事が出来る特徴を持つ膝用及び肘用鍛錬サポーター。
【請求項５】
サポーター本体に取り付けられた∧の字形状を呈した筒形状袋体において、両端の先端部分をきっちりと固定させる為に、サポーター本体に筒形状袋体の両端部分のサポーター本体を占める専有部分をよけた状態で、サポーター本体の所望部分にマジックテープ接合縫い合わせ、その両端部分のマジックテープの半分位縫い合わせていない方の一部分をめくり上げ、上から包み重ねるように接合する事により両端部分を固定安定させる特徴を持つ膝用及び肘用鍛錬サポーター。
【請求項６】
筒形状袋体の中に自由に単体で挿入、取り出しをする∧の字形の屈曲素材は形状記憶合金にのみこだわらずとも、例えば、反発力があるバネ材を使った素材で形成されても良い膝用及び肘用鍛錬サポーター。
【発明の詳細な説明】
【０００１】
【発明の属する技術分野】
この発明は、サポーターの使用目的を多様化する過程で屈曲による筋肉の鍛錬用として、使用される為開発された装備に関するものである。
【０００２】
【従来の技術】
サポーターの役割は、その使用者にとっては本当に無くてはならないものであるが、今までの技術は鍛錬用としては使用可能な目的がほとんど限られている。
【０００３】
何年来とサポーターの目的はその箇所を固定、保温という事を追求するのが常であり、しなやかな、柔らかい筋肉を作ろうとするこの目的から考えられたこの発明とは全然その意味が違っている。
【０００４】
したがってサポーターを金属で固定してみたりするのが常だった為、一般的には鍛錬用は重装備がほとんどで、しなやかな、柔らかい、ケガをしにくい筋肉を作るという目的からは程遠いものばかりで、社会もそれが当たり前の様に思っている所がある様に思える。
【０００５】
【特許文献１】
特許出願公開番号  特開平９−１９２１６７
【０００６】
【発明が解決しようとする課題】
そこでこの発明は、サポーターによる運動鍛錬が出来、それも重装備でなく、しかも重量運動でもなく、よって肉体がしなやかで柔らかい筋肉を作り上げてくれ、ケガをしにくい鍛錬用商品を開発するのが課題。
【０００７】
【課題を解決するための手段】
（請求項１、２、３記載の発明）
この発明の膝用及び肘用鍛錬用サポーターは、膝及び肘関節を前面から覆い包むサポーター本体とは別体として作られたＩ形を成したベルト状の生地を、そのベルト状生地の上部の部所をサポーター本体を側面視より見て最上部に近い箇所に接合し、しっかりと縫い付け、そのベルト上生地は接合し、固定されている上部の部分を除き垂れ下がった状態になり、そのベルトの真上を∧の字形状に別体として作られた筒形状袋体をそのベルトをまたぐように上にのせ、サポーター本体及びベルト状で重なる部分も含めて筒系状袋体の底面即ちサポーター本体側に面した全ての部分をサポーター本体に接合し縫い合わせその接合した筒形状袋体の丁度中間地点の曲線の最上部に穴あき口を設け、その穴口からプラスチック他、ゴム素材、特殊化学製品、特殊金属他で前面を被膜された状態の形状記憶合金を挿入し、そこに挿入する形状記憶合金は、側視角度１０度〜１８０度位に角度を常に保てるように熱処理により記憶させられたものを使用し、この事が効果を最大限に発揮させる事になるのだが、まずその形状記憶合金が挿入口から納まった所で、留め具ベルトの下部のマジックテープで被膜された部分を引っ張り上げ、同じくマジックテープ状に被膜された固定されている上部の部分に重ね合わせ、筒形状袋体を位置移動やズレから防ぎ固定すると共に、全体のサポーターの安定感を作る事により、素材の性質として柔らかく且つ、バネのある形状記憶合金を使う事により、体にも柔らかくフィットし、違和感も無く尚且つしなやかな、そしてケガをしにくい柔らかい筋肉を自然に身に付ける事ができ、ストレッチ、特に横動き運動を常時要求される者にとっては理想的と思われる。
（請求項４記載の発明）
請求項１、２、３で発明の形状を説明してきたが、その請求項１、２、３で形成構成された形状に∧の形に形成された筒形状形状記憶合金入り袋体の左右両端部分の近く又は、筒形状袋体の専有しないサポーター本体の所望場所に引っ掛け針を繋ぎ留めるリング状の留め具を左右に設置し、∧の字形の左右を橋を渡す感じでベルト状のゴムバンドで渡し、そのゴムバンドの先端に、その釣り針状の引っ掛け針を取り付け、左右の留め具に繋ぎ止める。
（請求項５記載の発明）
サポーター本体に取り付けられた∧の字状の形状を成した筒形状袋体において、左右両先端を固定する為に筒形状袋体がサポーター本体に占める専有部分をよけた状態でサポーター本体の所望部所、即ち両先端部分以外のその周辺の所にマジックテープを上面にほどこしたものを接合し、しっかりと縫い合わせ、但し、上下又は左右対称となる様に半分は縫い付けず半分のみを縫い付け、半分はめくれる様に構成させ、固定させる所にめくり上げ、上から片方に∧の字状の左右両端を上から覆う様に折り重ねてマジックテープにより固定させるものである。
【０００８】
【発明実施の形態】
以下にこの発明の実施の形態を図面を参照しつつ説明する。
〔実施形態１〕
図１は足の膝に取り付けられた発明のサポーターの側面視をした状態の全体の立体図である。
（ベルト状留め具▲８▼について）
全形はＩ形を成し、生地はベルト状でその両端部▲１▼と▲２▼の上面の部所にはマジックテープ材で構成されたものとし、片方である上部の▲２▼の部所をサポーター本体にしっかりと接合し縫い合わせ固定する。
（筒形状袋体▲３▼について）
太さは違うが形だけで言えば全体像は警棒の中身がくりぬかれた様な形を成し、その長さの中間点に全体からは１ヶ所だけ穴口▲７▼を設け、その穴口▲７▼より出し入れが可能な状況にした状態で形成される。
（形状記憶合金Ｋ及び被膜部▲４▼について）
袋体▲３▼の中に穴口▲７▼より入れる形状記憶合金についてプラスチック材質又はゴム材質、特殊化学製品、特殊金属他で被膜された形状記憶合金は側面視角度が１０度〜１８０度位に常に角度が保てる様に熱処理により記憶させられたものを使用し、太さはその強度のレベルにより下は１ｍｍから幾らでも使用者の鍛錬の度合に応じて合った太さ、強度のものにすればよい。
〔実施形態２〕
（∧の字形の左右橋渡しベルトと留め金具について）
図▲２▼のサポーター本体の所望場所▲９▼のところにリング状の留め具を左右に設置して、両先端に引っ掛け針を付けたゴム状ベルトで形状記憶合金の収納した筒形状袋体の位置をズレたりするのを防止し、又屈曲の鍛錬運動に対して、補強及び強化の意味をも兼ね備えた構成とした。
〔実施形態３〕
（マジックテープ、図３のＲについて）
図３において、サポーター本体Ｘに取り付けられた筒形状袋体▲３▼の左右両端部分に表面にマジックテープを施した生地を一部分だけ適当な大きさでサポーター本体に接合縫い合わせ、接合縫い合わされていない部分をめくるようにサポーター本体と接合されたマジックテープで被膜された部所に筒形状袋体を含め上から覆い重ねるように折り重ね固定する。
【０００９】
【全体の構成について】
この発明は、サポーター本体の前方から見て左右対称に装備する方がより効果は倍増し、又それが必須となり、全体も安定した構成となる。
【００１０】
【発明の効果】
この発明は以下のような効果を発揮する。現在携帯電話のアンテナとして使われている、形状記憶合金の被膜されたものを使用すると、その素材がとにかく軽くてソフトな感触で何とも柔らかく、重圧感というものを感じさせないし、心地良さが有る所に持ってきて、かなりの反発力、即ち復元力というパンチのあるバネがあり、それもソフト＋パンチ＋バネという三拍子揃った所があり、これを人間の関節の屈曲に利用しない手は無いと考えた結果であるが、とにかくこれを使った屈曲は柔らかく体に伝わる為、肉体は柔らかく、しなやかなケガをしない効果が抜群で、きつい筋肉強化をして硬くてケガをしやすい体を今まで皆それをやっていたがこれからは柔らかくしなやかな体を作る事が、健康に一番良いと言う事がわかって貰えると思う。
【図面の簡単な説明】
【図１】この発明の実施例１の全体構成を立体側視したものである。
【図２】この発明の実施例２の全体構成を立体側視したものである。
【図３】この発明の実施例３の全体構成を立体側視したものである。
【図４】形状記憶合金を挿入した状態の筒形状袋体▲３▼の断面図。
【図５】∧の字形の筒形状袋体▲３▼の穴口部分▲７▼を含む立体構成図。
【符号の説明】
▲１▼          ベルト状留め具のマジックテープ部分。
▲２▼          ベルト状留め具のマジックテープ部分。
▲３▼          筒形状袋体で形状記憶合金の納まる袋。
▲４▼          形状記憶合金が被膜された部分。
▲５▼          補強用ゴムベルト。
▲６▼          補強用ゴムベルト▲５▼の両先端に付いている引っ掛け針。
▲７▼          形状記憶合金が挿入又は取り出しが可能な為の穴口。
▲８▼          ▲３▼を留めて安定させる為のマジックテープ付ベルト。
▲９▼          補強用ゴムベルトに付いてある針を引っ掛けるリング。
Ｋ          形状記憶合金。
Ｘ          サポーター本体。
Ｒ          図３のマジックテープをほどこされた部分。
【図１】
2004263355.tif 000003
【図２】
2004263355.tif 000004
【図３】
2004263355.tif 000005
【図４】
2004263355.tif 000006
【図５】
2004263355.tif 000007